(57)【要約】【課題】ＢＣＡデータをさらに高い信頼性で読み取ることができる光ディスク装置を提供する。【解決手段】本発明に係る光ディスク装置は、光ディスクのバースト・カッティング・エリアに記録されているＢＣＡデータを読み取り、ＢＣＡ再生信号を出力するＢＣＡ再生部と、ＢＣＡ再生信号からＢＣＡデータを生成するデータ検出部と、光ディスクを正方向と逆方向に回転させる回転方向制御部と、を備え、データ検出部は、前記光ディスクを正方向に回転させたときのＢＣＡ再生信号から得られる第１のＢＣＡデータと、光ディスクを逆方向に回転させたときのＢＣＡ再生信号から得られる第２のＢＣＡデータとからＢＣＡデータを合成して生成する、ことを特徴とする。【選択図】  図６
2009009662.tif 000002
【特許請求の範囲】
【請求項１】
光ディスクのバースト・カッティング・エリアに記録されているＢＣＡデータを読み取り、ＢＣＡ再生信号を出力するＢＣＡ再生部と、
前記ＢＣＡ再生信号からＢＣＡデータを生成するデータ検出部と、
前記光ディスクを正方向と逆方向に回転させる回転方向制御部と、
を備え、
前記データ検出部は、
前記光ディスクを正方向に回転させたときのＢＣＡ再生信号から得られる第１のＢＣＡデータと、前記光ディスクを逆方向に回転させたときのＢＣＡ再生信号から得られる第２のＢＣＡデータとから前記ＢＣＡデータを合成して生成する、
ことを特徴とする光ディスク装置。
【請求項２】
前記データ検出部は、
前記第１のＢＣＡデータを構成するデータ列と、前記第２のＢＣＡデータを構成するデータ列の夫々のエラーの有無を検出し、前記第１のＢＣＡデータのエラーの無いデータ列と、前記第２のＢＣＡデータのエラーの無いデータ列とを合成して、前記ＢＣＡデータを生成する、
ことを特徴とする請求項１に記載の光ディスク装置。
【請求項３】
前記データ検出部は、
前記第１のＢＣＡデータを構成するデータ列と、前記第２のＢＣＡデータを構成するデータ列の夫々のエラーの有無を検出し、前記第１のＢＣＡデータのデータ列と前記第２のＢＣＡデータのデータ列とをエラーが最小となるように合成し、合成後に誤り訂正を行って前記ＢＣＡデータを生成する、
ことを特徴とする請求項１に記載の光ディスク装置。
【請求項４】
光ディスクのバースト・カッティング・エリアに記録されているＢＣＡデータを読み取り、ＢＣＡ再生信号を出力するＢＣＡ再生部と、
前記ＢＣＡ再生信号からＢＣＡデータを生成するデータ検出部と、
前記光ディスクを正方向と逆方向に回転させる回転方向制御部と、
を備え、
前記データ検出部は、
前記光ディスクを正方向に回転させたときのＢＣＡ再生信号と、前記光ディスクを逆方向に回転させたときの前記ＢＣＡ再生信号を平均処理し、平均処理されたＢＣＡ再生信号から前記ＢＣＡデータを生成する、
ことを特徴とする光ディスク装置。
【請求項５】
光ディスクのバースト・カッティング・エリアに記録されているＢＣＡデータを読み取り、ＢＣＡ再生信号を出力するＢＣＡ再生部と、
前記ＢＣＡ再生信号からＢＣＡデータを生成するデータ検出部と、
前記光ディスクを正方向と逆方向に回転させる回転方向制御部と、
前記バースト・カッティング・エリアのディフェクト領域を検出するディフェクト検出部と、
を備え、
前記データ検出部は、
前記光ディスクを正方向に回転させたときのＢＣＡ再生信号のうち、前記ディフェクト領域の後の所定期間の再生信号と、前記光ディスクを逆方向に回転させたときのＢＣＡ再生信号から得られる前記ディフェクト領域の後の所定期間の再生信号とを置換し、置換後のＢＣＡ再生信号から前記ＢＣＡデータを生成する、
ことを特徴とする光ディスク装置。
【請求項６】
（ａ）光ディスクのバースト・カッティング・エリアに記録されているＢＣＡデータを読み取り、ＢＣＡ再生信号を出力し、
（ｂ）前記ＢＣＡ再生信号からＢＣＡデータを生成し、
（ｃ）前記光ディスクを正方向と逆方向に回転させる、
ステップを備え、
ステップ（ｂ）では、
前記光ディスクを正方向に回転させたときのＢＣＡ再生信号から得られる第１のＢＣＡデータと、前記光ディスクを逆方向に回転させたときのＢＣＡ再生信号から得られる第２のＢＣＡデータとから前記ＢＣＡデータを合成して生成する、
ことを特徴とする光ディスク装置の制御方法。
【請求項７】
ステップ（ｂ）では、
前記第１のＢＣＡデータを構成するデータ列と、前記第２のＢＣＡデータを構成するデータ列の夫々のエラーの有無を検出し、前記第１のＢＣＡデータのエラーの無いデータ列と、前記第２のＢＣＡデータのエラーの無いデータ列とを合成して、前記ＢＣＡデータを生成する、
ことを特徴とする請求項６に記載の光ディスク装置の制御方法。
【請求項８】
ステップ（ｂ）では、
前記第１のＢＣＡデータを構成するデータ列と、前記第２のＢＣＡデータを構成するデータ列の夫々のエラーの有無を検出し、前記第１のＢＣＡデータのデータ列と前記第２のＢＣＡデータのデータ列とをエラーが最小となるように合成し、合成後に誤り訂正を行って前記ＢＣＡデータを生成する、
ことを特徴とする請求項６に記載の光ディスク装置の制御方法。
【請求項９】
（ａ）光ディスクのバースト・カッティング・エリアに記録されているＢＣＡデータを読み取り、ＢＣＡ再生信号を出力し、
（ｂ）前記ＢＣＡ再生信号からＢＣＡデータを生成し、
（ｃ）前記光ディスクを正方向と逆方向に回転させる、
ステップを備え、
ステップ（ｂ）では、
前記光ディスクを正方向に回転させたときのＢＣＡ再生信号と、前記光ディスクを逆方向に回転させたときの前記ＢＣＡ再生信号を平均処理し、平均処理されたＢＣＡ再生信号から前記ＢＣＡデータを生成する、
ことを特徴とする光ディスク装置の制御方法。
【請求項１０】
（ａ）光ディスクのバースト・カッティング・エリアに記録されているＢＣＡデータを読み取り、ＢＣＡ再生信号を出力し、
（ｂ）前記ＢＣＡ再生信号からＢＣＡデータを生成し、
（ｃ）前記光ディスクを正方向と逆方向に回転させ、
（ｄ）前記バースト・カッティング・エリアのディフェクト領域を検出する、
ステップを備え、
ステップ（ｂ）では、
前記光ディスクを正方向に回転させたときのＢＣＡ再生信号のうち、前記ディフェクト領域の後の所定期間の再生信号と、前記光ディスクを逆方向に回転させたときのＢＣＡ再生信号から得られる前記ディフェクト領域の後の所定期間の再生信号とを置換し、置換後のＢＣＡ再生信号から前記ＢＣＡデータを生成する、
ことを特徴とする光ディスク装置の制御方法。
【発明の詳細な説明】
【技術分野】
【０００１】
本発明は、光ディスク装置及びその制御方法に係り、特に、バースト・カッティング・エリアに記録されたＢＣＡデータを読み取る光ディスク装置及びその制御方法に関する。
【背景技術】
【０００２】
従来型のＤＶＤでは、通常のデータが記録されている領域の内周側にＢＣＡ（バースト・カッティング・エリア）と呼ばれる領域が設けられており、この領域にＢＣＡデータが記録されている。ＢＣＡデータは、ＤＶＤを再生するために必要な基本的な情報を含んでいる。このため、ＢＣＡでは、通常のデータ記録領域に比べるとビット長等が十分大きく設定されており、誤りの少ない確実な再生ができるようになっている。
【０００３】
特許文献１には、ＢＣＡデータの再生技術の１つが開示されており、特にＨＤ  ＤＶＤ規格の光ディスクに対するＢＣＡデータの再生技術が開示されている。
【特許文献１】特開２００７−３５１７０号公報
【発明の開示】
【発明が解決しようとする課題】
【０００４】
ＨＤ  ＤＶＤ規格の光ディスクでは、ＢＣＡデータとしてＡＡＣＳ（Advanced  Access  Content  System）と呼ばれる著作権保護情報が記録されている。このため、ＡＡＣＳが記録されたＨＤ  ＤＶＤ規格の光ディスクでは、ＢＣＡデータの読み取りが出来ないと光ディスクの再生自体ができなくなり、ＢＣＡデータを高い信頼性で読み取ることが非常に重要となっている。
【０００５】
特許文献１が開示する技術は、ＨＤ  ＤＶＤ規格の光ディスクにおけるＢＣＡデータの読み取りの信頼性を向上させる技術の１つであるが、ＢＣＡデータ読み取りの重要性を考えると、さらなる信頼性向上が強く要望されるところである。
【０００６】
本発明は、上記事情に鑑みてなされたものであり、ＢＣＡデータをさらに高い信頼性で読み取ることができる光ディスク装置及びその制御方法を提供することを目的とする。
【課題を解決するための手段】
【０００７】
上記課題を解決するため、本発明に係る光ディスク装置は、請求項１に記載したように、光ディスクのバースト・カッティング・エリアに記録されているＢＣＡデータを読み取り、ＢＣＡ再生信号を出力するＢＣＡ再生部と、前記ＢＣＡ再生信号から前記ＢＣＡデータを生成するデータ検出部と、前記光ディスクを正方向と逆方向に回転させる回転方向制御部と、を備え、前記データ検出部は、前記光ディスクを正方向に回転させたときのＢＣＡ再生信号から得られる第１のＢＣＡデータと、前記光ディスクを逆方向に回転させたときのＢＣＡ再生信号から得られる第２のＢＣＡデータとから前記ＢＣＡデータを合成して生成する、ことを特徴とする。
【０００８】
また、上記課題を解決するため、本発明に係る光ディスク装置の制御方法は、請求項６に記載したように、（ａ）光ディスクのバースト・カッティング・エリアに記録されているＢＣＡデータを読み取り、ＢＣＡ再生信号を出力し、（ｂ）前記ＢＣＡ再生信号から前記ＢＣＡデータを生成し、（ｃ）前記光ディスクを正方向と逆方向に回転させる、ステップを備え、ステップ（ｂ）では、前記光ディスクを正方向に回転させたときのＢＣＡ再生信号から得られる第１のＢＣＡデータと、前記光ディスクを逆方向に回転させたときのＢＣＡ再生信号から得られる第２のＢＣＡデータとから前記ＢＣＡデータを合成して生成する、ことを特徴とする。
【発明の効果】
【０００９】
本発明に係る光ディスク装置及びその制御方法によれば、ＢＣＡデータをさらに高い信頼性で読み取ることができる。
【発明を実施するための最良の形態】
【００１０】
本発明に係る光ディスク装置及びその制御方法の実施形態について、添付図面を参照して説明する。
【００１１】
（１）第１の実施形態
図１は、本実施形態に係る光ディスク装置１が再生する光ディスク１００のバースト・カッティング・エリア（以下、ＢＣＡという）を示す図である。ＢＣＡは、光ディスク１００の内周側に設けられている領域である。記録層をレーザ光でストライプ状に除去してＢＣＡデータを記録している。ＨＤ  ＤＶＤ規格においては、同一のＢＣＡデータをＡ領域とＢ領域に記録して冗長性を持たせ、読み取りの信頼性を向上させている。Ａ領域とＢ領域の間には未記録領域であるミラー領域ｍが設けられている。Ａ領域に記録されているデータをＡデータと呼び、Ｂ領域に記録されているデータをＢデータと呼ぶものとする。
【００１２】
本実施形態では、図１に矢印で示したように、光ディスク１００を正方向と逆方向とに回転させ、夫々の回転方向から得られる第１のＢＣＡデータと第２のＢＣＡデータとを取得することでさらに冗長性を高め、ＢＣＡデータ読み取りの信頼性をさらに向上させる形態としている。この動作については後述する。
【００１３】
図２は、上記のＡデータとＢデータの構造を示す図である。ＡデータとＢデータとは、夫々、プリアンブル、情報データ、誤り検出用コード（ＥＤＣと呼ぶ場合がある）、誤り訂正用コードを有している。また、各行方向データの先頭には、同期コード０から同期コード５、及び同期コード１３から同期コード１５の９種類の同期コードが設けられている。情報データ自体は、４Ｂｙｔｅの行データが１９列で構成されており、合計で７６Ｂｙｔｅのデータとなっている。
【００１４】
ＥＤＣや誤り訂正コードのシンドローム計算によって、情報データ全体のエラーの有無や、列単位でのエラーの有無や数を検出することが出来る。また、エラー数が所定範囲内であれば、誤り訂正コードによってエラーを訂正することも可能である。
【００１５】
特許文献１では、ＡデータとＢデータの夫々の列単位でのエラーの有無を検出し、エラーの無い列を組み合わせることで情報データ全体としてエラーの無いＢＣＡデータを得る技術を開示している。また、同じ列の双方にエラーがある場合は、エラーの少ない方の列を選択し、全体のエラー数を低減させ、その後エラー訂正する技術も開示している。このようにＡデータとＢデータとを互いに補完、或いは置換することによって全体としてエラーの無い、或いはエラー訂正が可能な程度にエラーを削減することができる。
【００１６】
しかしながら、このような処理を行ったとしても、訂正できないエラーが残存する可能性がある。
【００１７】
第１の実施形態に係る光ディスク装置１では、この様な場合に対処するため、正方向の回転によって得られた第１のＢＣＡデータに対して上記の補完或いは置換処理を行い、それでもエラーが残存している場合には、光ディスク１００を逆方向に回転させて第２のＢＣＡデータを取得し、上記のＡデータとＢデータに対して行う補完或いは置換処理と同様の処理を、第１、及び第２のＢＣＡデータに対して行うものとしている。
【００１８】
図３は、光ディスク１００を正方向に回転させたときに得られるＢＣＡ再生信号の波形と読み取り可否を示す読み取りフラグとを例示した図である。図３中の黒い領域は、ＢＣＡに付着した汚れや傷等によるディフェクトを表わしている。ＢＣＡデータを読み取る場合、ＢＣＡ再生信号からクロック信号を抽出し、このクロック信号に同期させてデータを読み取っている。このため、ディフェクトによる信号減衰によってディフェクト領域でＢＣＡデータが読み取れないばかりか、ディフェクトによる同期はずれによってディフェクト領域の後側の領域（図３におけるディフェクトの右側の領域）でも同期が回復するまでの所定期間ＢＣＡデータが読み取れなくなってしまう。また、ＢＣＡ再生信号は、ディフェクト領域による振幅変動に起因してディフェクト領域の後の領域でも利得等が変動し波形が乱れる。このこともディフェクト領域の後の領域が読み取れなくなる原因の１つとなる。
【００１９】
一方、図４は、光ディスク１００を逆方向に回転させたときに得られるＢＣＡ再生信号の波形と読み取り可否を示す読み取りフラグとを例示した図である。この場合、ディフェクト領域の前側（図４におけるディフェクトの左側の領域）が同期回復等の期間となり読み取れなくなっている。
【００２０】
図３と図４を比較するとわかるように、回転方向の反転によってディフェクト領域の前後の読み取り不能領域が逆転している。このことは、正方向回転で得られる第１のＢＣＡデータと、逆方向回転で得られる第２のＢＣＡデータとを互いに補完、或いは置換することによって、読み取り率を向上させることができることを示唆している。
【００２１】
図５は、第１の実施形態に係る光ディスク装置１の構成例を示すブロック図である。
【００２２】
光ディスク１００から光ピックアップ３によって読み取られたＢＣＡ再生信号は、プリアンプ４によってゲインやオフセットの調整が行われ、ＡＤ変換器５によってデジタル信号に変換されデジタル量のＢＣＡ再生信号となる。光ピックアップ３、プリアンプ４、及びＡＤ変換器５でＢＣＡ再生部を構成する。
【００２３】
ＢＣＡ再生信号は、ＢＣＡ波形整形部６にて２値化され、ＢＣＡデータ検出部７に入力される。ＢＣＡデータ検出部７は、Ａ，Ｂデータ処理部２０、第１、第２のＢＣＡデータ処理部２１、シンドローム計算部２２、ＳＲＡＭやフリップフロップで構成されるデータ格納部２３、エラー訂正部２４等を備えて構成されている。ＢＣＡデータ検出部７の各構成ブロックは、メモリ制御部８を介してメモリ１０とデータの授受を行いつつ後述するＢＣＡデータ検出処理を行い、エラーの無い或いはエラーが低減されたＢＣＡデータを生成している。生成されたＢＣＡデータは、デコード部９に出力されデコードされる。
【００２４】
他方、回転方向制御部１２は、光ディスク１００の回転方向を正方向と逆方向とに変更可能に制御する。回転方向制御信号はサーボ制御回路１３へ送られ、正方向と逆方向とに対応する回転サーボ制御が行われ、スピンドル駆動制御回路１４を介してスピンドルモータ２に駆動信号が出力される。
【００２５】
なお、サーボ制御回路１３では、光ピックアップ３に対するトラッキングサーボ制御、フォーカスサーボ制御も行っており、これらのサーボ制御信号は、フォーカス・トラッキング駆動制御回路１５を介して光ピックアップ３に出力される。
【００２６】
上記のように構成された光ディスク装置１のＢＣＡデータ検出処理について説明する。図６は、第１の実施形態に係る光ディスク装置１のＢＣＡデータ検出処理の一例を示すフローチャートである。
【００２７】
まず、ステップＳＴ１で、光ディスク１００を正方向に回転させて第１のＢＣＡデータを取得し、その後メモリ１０に格納する（ステップＳＴ２）。次に、メモリ１０から格納したデータを読み出して、誤り検出・訂正処理を行う（ステップＳＴ３）。
【００２８】
誤り検出・訂正処理は、光ディスク１００に記録されているＡデータ、Ｂデータに対して誤り検出処理を行い、誤りがあった場合には補完、或いは置換を行う処理である。また、誤りが少ない列同士を組み合わせて誤り訂正する処理も含む。これらの処理は、Ａ，Ｂデータ処理部２０、シンドローム計算部２２、エラー訂正部２４、データ格納部２３の各構成ブロックの処理によって行われる。
【００２９】
この誤り検出・訂正処理後、第１のＢＣＡデータにエラーが残存しているか否かの判定をステップＳＴ４で行う。エラーが残存していない場合は処理を終了する。
【００３０】
他方、誤り検出・訂正処理によってもまだエラーが残存している場合にはステップＳＴ５以降の処理に進む。
【００３１】
ステップＳＴ５では、光ディスク１００を逆方向に回転させる。そして、逆方向の回転によって得られた第２のＢＣＡデータをメモリ１０に格納する。この段階での第２のＢＣＡデータは第１のＢＣＡデータとは逆の順序で配列されているため、第１のＢＣＡデータと順序をそろえるべく配列変更を行う（ステップＳＴ７）。
【００３２】
その後、第１のＢＣＡデータと第２のＢＣＡデータとを比較し、誤りの無い列データ同士を組み合わせる。或いは誤りの少ない列データ同士を補完、或いは置換してＢＣＡデータを合成し、合成したＢＣＡデータにエラーが残存している場合はエラー訂正処理を行う（ステップＳＴ８）。この方法は、ステップＳＴ３の処理と同様のものであり、第１，第２のＢＣＡデータ処理部２１、シンドローム計算部２２、エラー訂正部２４、データ格納部２３の各構成ブロックの処理によって行われる。
【００３３】
ステップＳＴ８の処理によってＢＣＡデータ検出処理は終了し、ＢＣＡデータ検出部７からデコード９にＢＣＡデータが出力される。
【００３４】
第１の実施形態に係る光ディスク装置１では、Ａデータ、Ｂデータによる補完或いは置換処理に加え、正方向回転で得られる第１のＢＣＡデータと逆方向回転で得られる第２のＢＣＡデータに対しても補完或いは置換処理を行う形態としており、より一層誤りの少ないＢＣＡデータを得ることができる。
【００３５】
また、第１のＢＣＡデータと第２のＢＣＡデータとは、図３及び図４に示したようにディフェクト領域の前後で悪影響を受ける領域が異なるため、相互の補完或いは置換処理によって読み取り領域可能が拡大され、その結果エラーが一層低減される。
【００３６】
（２）その他の実施形態
図７は、第２の実施形態に係る光ディスク装置１ａの構成例を示すブロック図である。第１の実施形態に係る光ディスク装置１との相違点は、平均処理部３０と信号位置判定部３１とが付加されている点である。
【００３７】
信号位置判定部３１は、ＢＣＡ再生信号の始点と終了点を判定する処理を行う。平均処理部３０は、正方向の回転時に得られる第１のＢＣＡ再生信号と、逆方向の回転時に得られる第２のＢＣＡ再生信号とを平均処理しＢＣＡ波形整形部６に出力している。
【００３８】
第１のＢＣＡ再生信号と第２のＢＣＡ再生信号は、信号位置判定部３１で判定される夫々の始点と終了点とに基づいて、時間軸方向に一致させて平均処理が行われる。
【００３９】
図８は、第２の実施形態に係る光ディスク装置１ａにおけるＢＣＡデータ検出処理の一例を示すフローチャートである。
【００４０】
ステップＳＴ１１からステップＳＴ１４までの処理は正方向回転時の処理であり、基本的には第１の実施形態と同じ処理であるため説明を省略する。但し、ステップＳＴ１２にてメモリ１０に格納されるデータは、２値化された第１のＢＣＡデータの他、２値化前の第１のＢＣＡ再生信号も格納される点が異なっている。
【００４１】
ステップＳＴ１４にて、第１のＢＣＡデータにエラーが残存していると判定されるとステップＳＴ１５に進み、光ディスク１００を逆方向に回転させる。
【００４２】
次に、ステップＳＴ１６では、２値化前の第２のＢＣＡ再生信号をメモリ１０に格納する。そして、ステップＳＴ１２で格納した正方向回転時の第１のＢＣＡ再生信号と、ステップＳＴ１６で格納した逆方向回転時の第２のＢＣＡ再生信号とをメモリ１０から読み出して、両者を平均処理する（ステップＳＴ１７）。
【００４３】
次に、平均したＢＣＡ再生信号に対して２値化処理しメモリに格納する（ステップＳＴ１８）。２値化処理はＢＣＡ波形整形部６で行われる。
【００４４】
最後に、２値化されたＢＣＡデータを読み出して誤り検出を行い、誤りが検出された場合は誤り訂正処理を行って処理を終了する（ステップＳＴ１９）。
【００４５】
第２の実施形態に係る光ディスク装置１ａでは、第１、及び第２のＢＣＡ再生信号を平均処理しており、ディフェクト領域の前後で受けた波形の悪影響が軽減される。この結果、エラーの少ないＢＣＡデータが生成できる。
【００４６】
図９は、第３の実施形態に係る光ディスク装置１ｂの構成例を示すブロック図である。第２の実施形態に係る光ディスク装置１ａとの相違点は、平均処理部３０に換えてディフェクト検出・信号置換部４０が設けられている点である。
【００４７】
ディフェクト検出・信号置換部４０は、ＢＣＡ再生信号からディフェクト領域を検出し、ディフェクト領域の前後の領域の信号を、正方向回転の第１のＢＣＡ再生信号と逆方向回転の第２のＢＣＡ再生信号とで置換する処理を行う。信号位置判定部３１では、置換の位置合わせを確実に行うため、第１、第１のＢＣＡ再生信号の始点と終了点とを夫々判定している。
【００４８】
図１０は、第３の実施形態に係る光ディスク装置１ｂにおけるＢＣＡデータ検出処理の一例を示すフローチャートである。
【００４９】
ステップＳＴ２１からステップＳＴ２６までの処理は第２の実施形態と同じ処理であるため説明を省略する。
【００５０】
ステップＳＴ２７では、メモリ１０に格納した正方向回転時の第１のＢＣＡ再生信号と逆方向回転時の第２のＢＣＡ再生信号とを読み出し、ディフェクト前後の領域の置換を行う。具体的には、ディフェクト検出・信号置換部４０で検出したディフェクト領域の前の所定範囲の領域と後の所定範囲の領域とを選択し、第１のＢＣＡ再生信号に対して、ディフェクト領域の後の領域の信号と第２のＢＣＡ再生信号における後の領域の信号とを置換する。或いは逆に、第２のＢＣＡ再生信号に対して、ディフェクト領域の前の領域の信号と第１のＢＣＡ再生信号における前の領域の信号とを置換する。
【００５１】
前述したように、正方向の回転時に得られる第１のＢＣＡ再生信号では、ディフェクト領域の後側の領域の信号がディフェクトによって悪影響を受ける一方、逆方向の回転時にはこの後側の領域はディフェクトの影響を受けることがない。そこで、ディフェクトによって悪影響を受ける信号とディフェクトの影響を受けない信号とを置換することによって、よりきれいな波形の信号を生成することができる。
【００５２】
同様のことは、逆方向回転時の第２のＢＣＡ再生信号のディフェクトの前側の領域に対しても当てはまる。
【００５３】
上記の置換処理によって、ディフェクトの影響が低減されたＢＣＡ再生信号を合成し、その後、２値化処理を行ってメモリ１０に格納する（ステップＳＴ２８）。
【００５４】
最後に、２値化されたＢＣＡデータを読み出して誤り検出を行い、誤りが検出された場合は誤り訂正処理を行って処理を終了する（ステップＳＴ２９）。
【００５５】
第３の実施形態に係る光ディスク装置１ｂでは、ディフェクト前後の領域波形を置換することによって、ディフェクト領域の前後で受けた波形の悪影響が軽減される。この結果、エラーの少ないＢＣＡデータの生成が期待できる。
【００５６】
以上説明してきたように、上記各実施形態に係る光ディスク装置１、１ａ、１ｂ及びその制御方法によれば、ＢＣＡデータをさらに高い信頼性で読み取ることができる。
【００５７】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００５８】
【図１】本発明の実施形態に係る光ディスク装置が対象とする光ディスクのＢＣＡを例示する図。
【図２】ＢＣＡデータのデータ構成例を示す図。
【図３】ディフェクトがある光ディスクを正方向に回転させたときのＢＣＡ再生信号とその時の読み取りフラグを例示する図。
【図４】ディフェクトがある光ディスクを逆方向に回転させたときのＢＣＡ再生信号とその時の読み取りフラグを例示する図。
【図５】第１の実施形態に係る光ディスク装置の構成例を示すブロック図。
【図６】第１の実施形態に係る光ディスク装置におけるＢＣＡデータ検出処理の一例を示すフローチャート。
【図７】第２の実施形態に係る光ディスク装置の構成例を示すブロック図。
【図８】第２の実施形態に係る光ディスク装置におけるＢＣＡデータ検出処理の一例を示すフローチャート。
【図９】第２の実施形態に係る光ディスク装置の構成例を示すブロック図。
【図１０】第２の実施形態に係る光ディスク装置におけるＢＣＡデータ検出処理の一例を示すフローチャート。
【符号の説明】
【００５９】
１  光ディスク装置
２  スピンドルモータ
６  ＢＣＡ波形整形部
７  ＢＣＡデータ検出部（データ検出部）
１２  回転方向制御部
２１  第１、第２のＢＣＡデータ処理部
３０  平均処理部
４０  ディフェクト検出・信号置換部
【図１】
2009009662.tif 000003
【図２】
2009009662.tif 000004
【図３】
2009009662.tif 000005
【図４】
2009009662.tif 000006
【図５】
2009009662.tif 000007
【図６】
2009009662.tif 000008
【図７】
2009009662.tif 000009
【図８】
2009009662.tif 000010
【図９】
2009009662.tif 000011
【図１０】
2009009662.tif 000012